(57)【特許請求の範囲】
【請求項１】
ネットワークプリンタとして利用可能な印刷装置であると共に、両面印刷が指示された場合には、指示された内容の印刷が表面及び裏面に行われており、かつ、表面の所定位置に所定内容の両面判定マークが描画されている用紙を生成し、片面印刷が指示された場合には、指示された内容の印刷が表面に行われており、かつ、表面の前記所定位置には何も描画されていない用紙を生成する印刷装置と、
供給された原稿上の画像を表す画像データを生成する画像データ生成手段と、
複数枚の原稿を保持可能な原稿保持手段と、
この原稿保持手段に保持された１枚以上の原稿を１枚ずつ前記画像データ生成手段に供給する機能，前記画像データ生成手段に供給された原稿を排出する機能，及び，前記画像データ生成手段に供給された原稿を裏返して前記画像データ生成手段に供給する機能を有する原稿搬送手段と、
前記原稿保持手段に保持された１枚の原稿毎に、その原稿上の画像の画像データを前記画像データ生成手段に生成させるとともに、前記画像データ生成手段が生成した画像データに基づき、当該原稿の前記所定位置に前記両面判定マークが存在しているか否かを判断し、前記所定位置に前記両面判定マークが存在していなかった場合には、前記原稿搬送手段に当該原稿を排出させ、前記所定位置に前記両面判定マークが存在していた場合には、前記原稿搬送手段に当該原稿を裏返して前記画像データ生成手段へ供給させ、その原稿の裏面の画像データを前記画像データ生成手段に生成させた後に、前記原稿搬送手段にその原稿を排出させる読取制御手段と、
前記読取制御手段が前記所定位置に前記両面判定マークが存在していないと判断した場合には、前記画像データ生成手段が生成した画像データに基づき前記印刷装置に片面印刷を実行させ、前記読取制御手段が前記所定位置に前記両面判定マークが存在していると判断した場合には、前記画像データ生成手段が生成した２ページ分の画像データに基づき前記印刷装置に両面印刷を実行させる印刷制御手段
とを備えることを特徴とするコピーシステム。
【請求項２】
両面印刷及び片面印刷が可能な印刷実行手段と、
供給された原稿上の画像を表す画像データを生成する画像データ生成手段と、
複数枚の原稿を保持可能な原稿保持手段と、
この原稿保持手段に保持された１枚以上の原稿を１枚ずつ前記画像データ生成手段に供給する機能，前記画像データ生成手段に供給された原稿を排出する機能，及び，前記画像データ生成手段に供給された原稿を裏返して前記画像データ生成手段に供給する機能を有する原稿搬送手段と、
前記原稿保持手段に保持された１枚の原稿毎に、その原稿上の画像の画像データを前記画像データ生成手段に生成させるとともに、前記画像データ生成手段が生成した画像データに基づき、当該原稿の所定位置に、目視ではその存在が殆ど分からない形態の両面判定マークが存在しているか否かを判断し、前記所定位置に前記両面判定マークが存在していなかった場合には、前記原稿搬送手段に当該原稿を排出させ、前記所定位置に前記両面判定マークが存在していた場合には、前記原稿搬送手段に当該原稿を裏返して前記画像データ生成手段へ供給させ、その原稿の裏面の画像データを前記画像データ生成手段に生成させた後に、前記原稿搬送手段にその原稿を排出させる読取制御手段と、
前記読取制御手段が前記所定位置に前記両面判定マークが存在していないと判断した場合には、前記画像データ生成手段が生成した画像データに基づき前記印刷実行手段に片面印刷を実行させ、前記読取制御手段が前記所定位置に前記両面判定マークが存在していると判断した場合には、前記画像データ生成手段が生成した２ページ分の画像データに基づき、前記両面判定マークの再描画が行なわれる形で前記印刷実行手段に両面印刷を実行させる印刷制御手段
とを備えることを特徴とするコピーシステム。
【請求項３】
前記印刷装置が描画する両面判定マークが、目視ではその存在が殆ど分からない形態のマークである
ことを特徴とする請求項１記載のコピーシステム。
【発明の詳細な説明】
【０００１】
【発明の属する技術分野】
本発明は、原稿のコピーを生成するためのコピーシステムに、関する。
【０００２】
【発明が解決しようとする課題】
周知のように、コピー機を用いて両面原稿の両面コピーを得るためには、コピー機の操作パネルに対してそのための設定が行われなければならない。しかしながら、コピー機の操作者が、コピー作業を依頼された者であった場合などには、原稿が両面原稿であることを気付かずに、上記設定を行なわずに、コピー作業を行なってしまうことがしばしばある。
【０００３】
また、近年、書類（印刷物）をデジタルデータ化してファイリングすることが盛んに行なわれるようになっているが、その際にも、書類が両面印刷物であることを気付かずに（或いは忘れて）、片面のみをデジタルデータ化してしまうことがあった。
【０００４】
本発明は、このような現状に鑑みなされたものであり、本発明の課題は、操作者のミスにより両面原稿が片面原稿として取り扱われてしまうことを防止できるコピーシステムを提供することにある。
【０００６】
【課題を解決するための手段】
上記課題を解決するために、本発明では、コピーを行なうためのコピーシステムを、ネットワークプリンタとして利用可能な印刷装置であると共に、両面印刷が指示された場合には、指示された内容の印刷が表面及び裏面に行われており、かつ、表面の所定位置に所定内容の両面判定マークが描画されている用紙を生成し、片面印刷が指示された場合には、指示された内容の印刷が表面に行われており、かつ、表面の所定位置には何も描画されていない用紙を生成する印刷装置と、供給された原稿上の画像を表す画像データを生成する画像データ生成手段と、複数枚の原稿を保持可能な原稿保持手段と、この原稿保持手段に保持された１枚以上の原稿を１枚ずつ画像データ生成手段に供給する機能，画像データ生成手段に供給された原稿を排出する機能，及び，画像データ生成手段に供給された原稿を裏返して画像データ生成手段に供給する機能を有する原稿搬送手段と、原稿保持手段に保持された１枚の原稿毎に、その原稿上の画像の画像データを画像データ生成手段に生成させるとともに、画像データ生成手段が生成した画像データに基づき、当該原稿の所定位置に両面判定マークが存在しているか否かを判断し、所定位置に両面判定マークが存在していなかった場合には、原稿搬送手段に当該原稿を排出させ、所定位置に両面判定マークが存在していた場合には、原稿搬送手段に当該原稿を裏返して画像データ生成手段へ供給させ、その原稿の裏面の画像データを画像データ生成手段に生成させた後に、原稿搬送手段にその原稿を排出させる読取制御手段と、読取制御手段が所定位置に両面判定マークが存在していないと判断した場合には、画像データ生成手段が生成した画像データに基づき印刷装置に片面印刷を実行させ、読取制御手段が所定位置に両面判定マークが存在していると判断した場合には、画像データ生成手段が生成した２ページ分の画像データに基づき印刷装置に両面印刷を実行させる印刷制御手段とを備えるものとする。
【０００９】
また、本発明の他の態様のコピーシステムは、両面印刷及び片面印刷が可能な印刷実行手段と、供給された原稿上の画像を表す画像データを生成する画像データ生成手段と、複数枚の原稿を保持可能な原稿保持手段と、この原稿保持手段に保持された１枚以上の原稿を１枚ずつ画像データ生成手段に供給する機能，画像データ生成手段に供給された原稿を排出する機能，及び，画像データ生成手段に供給された原稿を裏返して画像データ生成手段に供給する機能を有する原稿搬送手段と、原稿保持手段に保持された１枚の原稿毎に、その原稿上の画像の画像データを画像データ生成手段に生成させるとともに、画像データ生成手段が生成した画像データに基づき、当該原稿の所定位置に、目視ではその存在が殆ど分からない形態の両面判定マークが存在しているか否かを判断し、所定位置に両面判定マークが存在していなかった場合には、原稿搬送手段に当該原稿を排出させ、所定位置に両面判定マークが存在していた場合には、原稿搬送手段に当該原稿を裏返して画像データ生成手段へ供給させ、その原稿の裏面の画像データを画像データ生成手段に生成させた後に、原稿搬送手段にその原稿を排出させる読取制御手段と、読取制御手段が所定位置に両面判定マークが存在していないと判断した場合には、画像データ生成手段が生成した画像データに基づき印刷実行手段に片面印刷を実行させ、読取制御手段が所定位置に両面判定マークが存在していると判断した場合には、画像データ生成手段が生成した２ページ分の画像データに基づき、両面判定マークの再描画が行なわれる形で印刷実行手段に両面印刷を実行させる印刷制御手段とを備える。
【００１０】
すなわち、本発明の各態様のコピーシステム（請求項１、２記載のコピーシステム）は、所定位置に両面判定マークが存在してるか否かによって、原稿が両面原稿であるか片面原稿であるかが判断され、原稿が両面原稿であった場合には、自動的に、両面コピーが生成される構成を有する。従って、本発明の各態様のコピーシステムを、大部分の両面原稿が、表面の所定位置に所定情報が描画されているものとなっている環境で使用すれば、操作者が誤って、両面原稿の片面だけをコピーしてしまうことを防止できることになる。
【００１１】
なお、本発明の各態様のコピーシステムは、一台の装置として実現しても良く、例えば、スキャナとプリンタとそれらの制御装置とが組み合わされたシステムとして実現しても良い。
【００１６】
【発明の実施の形態】
以下、本発明の実施の形態を、図面を参照して詳細に説明する。
【００１７】
先ず、図１乃至図３を用いて、本発明の一実施形態に係るコピーシステムの概要を説明する。なお、図１は、本実施形態に係るコピーシステムの外観図であり、図２は、コピーシステムの構成並びに使用形態の説明図である。また、図３は、本コピーシステムに用いられているコピー操作ユニットの外観図である。
【００１８】
図１及び図２に示したように、本実施形態に係るコピーシステム１０は、コピー操作ユニット１１，スキャナ１２，プリンタ１３及びネットワークスキャニングユニット１４を含み、コピー操作ユニット１１がスキャナ１２及びプリンタ１３と接続され、スキャナ１２がネットワークスキャニングユニット１４と接続されたシステムである。また、コピーシステム１０は、プリンタ１３及びネットワークスキャニングユニット１４がそれぞれＬＡＮに接続されて使用されるシステムとなっている。
【００１９】
このコピーシステム１０に用いられているスキャナ１２は、原稿を裏返すことが出来るＡＤＦ（オートドキュメントフィーダー）を備えたフラットベットスキャナに、コピー操作ユニット１１との間のインタフェース回路である拡張ボードを装着した機器である。また、プリンタ１３は、両面印刷が可能なネットワークプリンタに、コピー操作ユニット１１との間のインタフェース回路である拡張ボードを装着した機器となっている。
【００２０】
コピー操作ユニット１１は、自身とスキャナ１２とプリンタ１３とからなるシステムを、コピー機として動作させる装置である。また、コピー操作ユニット１１は、一種のコンピュータ（ＣＰＵ，ＲＯＭ，ＲＡＭ，画像処理用ＡＳＩＣ、各種のインタフェース回路等からなる装置）となっており、コピー操作ユニット１１には、図３に示してあるように、ユーザとの間のインタフェースのための手段（素子）として、タッチスクリーン２１，スタートボタン２２ｓ，テンキー等が設けられている。
【００２１】
コピー操作ユニット１１は、タッチスクリーン２１，テンキー等を通じてユーザからコピー条件（スキャナ１２及びプリンタ１３の制御条件）に関する指定を得て、スタートボタン２２ｓが押下された時には、その時点において指定されているコピー条件に従ってスキャナ１２及びプリンタ１３を制御するコピー制御処理（詳細は後述）を実行する。
【００２２】
ネットワークスキャニングユニット１４は、スキャナ１２に原稿の画像データを生成させ、その画像データをＬＡＮ上のパーソナルコンピュータ（ＰＣ）に記憶させる処理（以下、原稿デジタル化処理と表記する）を行なう装置である。このネットワークスキャニングユニット１４も、一種のコンピュータとなっており、ネットワークスキャニングユニット１４には、ユーザとの間のインタフェースのための手段として、液晶パネル３１，スタートボタン３２，３種のメニュー関連ボタン３３等が設けられている。
【００２３】
このネットワークスキャニングユニット１４は、通常の状態（原稿デジタル化処理を実行していない状態）では、プリセット情報の追加或いは更新を指示する情報が、ＰＣから送信されてくることと、スタートボタン３２，３種のメニュー関連ボタン３３等が操作されることとを、監視している。ここで、プリセット情報とは、実行されるべき原稿デジタル化処理の内容を規定する情報のことであり、プリセット情報には、スキャナ１２の動作条件（画像データの解像度等）を指定するデータ、画像データの保存場所（コンピュータ名及びフォルダ名）を指定するデータ、処理モード（詳細は後述）を指定するデータが、含まれている。
【００２４】
プリセット情報の追加或いは更新を指示する情報がＰＣから送信されてきた場合、ネットワークスキャニングユニット１４は、当該情報に応じて、新たなプリセット情報を記憶する処理や、記憶しているプリセット情報の内容を変更する処理を行なう。
【００２５】
また、ネットワークスキャニングユニット１４は、メニュー関連ボタン３３が操作された場合には、操作されたメニュー関連ボタン３３に応じたものに液晶パネル３１の表示内容を変更する処理（いずれのプリセット情報を使用するかについての指示をユーザから取得する処理）を、行なう。そして、ネットワークスキャニングユニット１４は、スタートボタン２２ｓが押下された際には、その時点において選択されているプリセット情報が示している条件（スキャナ１２の動作条件、画像データの保存場所、処理モード）に応じた内容の原稿デジタル化処理を、行なう。
【００２６】
原稿デジタル化処理の具体的な内容については後ほど説明を行なうが、本ネットワークスキャニングユニット１４では、処理モードとして、“自動”モード、“両面”モード及び“片面”モードが用意されている。そして、処理モードとして“自動”モードが指定された場合（処理モードを“自動”モードとすること指定されたプリセット情報が選択された場合）、ネットワークスキャニングユニット１４は、両面判定マークの有無に基づき、原稿が両面原稿であるか片面原稿であるかが判断される手順の原稿デジタル化処理を、実行する。また、ネットワークスキャニングユニット１４は、処理モードが“両面”モード、“片面”モードとされた場合には、それぞれ、原稿が両面原稿、片面原稿であるとして取り扱われる原稿デジタル化処理を、実行する。
【００２７】
以上のことを前提として、以下、本実施形態に係るコピーシステム１０の機能（構成及び動作）を、具体的に説明する。
【００２８】
まず、プリンタ１３の機能を、説明する。
【００２９】
既に説明したように、プリンタ１３は、両面印刷可能なネットワークプリンタであるため、プリンタ１３へは、ＬＡＮ上のＰＣから片面印刷を指示する印刷データが送信されてくることも、両面印刷を指示する印刷データが送信されてくることもある。また、詳細は後述するが、本コピーシステム１０を用いて両面コピーが生成される際には、コピー操作ユニット１１からプリンタ１３に対して、両面印刷を行なうことが指示され、片面コピーが生成される際には、コピー操作ユニット１１からプリンタ１３に対して、片面印刷を行なうことが指示される。
【００３０】
プリンタ１３は、これらのイベントに対して、以下のように動作する。
【００３１】
プリンタ１３は、片面印刷を指示する印刷データを受信した場合、或いは、コピー操作ユニット１１から片面印刷が指示された場合には、所定領域（本実施形態では、用紙の右上隅と左下隅の小さな領域；以下、マーク領域と表記する）には何も描画されていない印刷結果が排出されることになる処理手順で、片面印刷を行なう。具体的には、プリンタ１３は、片面印刷が指示された場合には、印刷エンジンに供給するデータを生成するに際して、一般的なプリンタが行なっている処理と同様の処理に加えて、マーク領域部分を空白とするための処理を行なうように、構成されている。
【００３２】
一方、両面印刷を指示する印刷データを受信した場合、或いは、コピー操作ユニット１１から両面印刷が指示された場合、プリンタ１３は、表面のマーク領域に所定形状の情報（本実施形態では、目視ではその存在が殆ど分からないが、画像データをコンピュータ処理するとその存在が確認できるドットパターン：以下、両面判定マークと表記する）が描画されている印刷結果が排出されることになる処理手順で、両面印刷を行なう。具体的には、プリンタ１３は、両面印刷が指示された場合には、印刷エンジンに供給するデータを生成するに際して、一般的なプリンタ１３が行なっている処理と同様の処理に加えて、表面のマーク領域部分を、ＰＣ或いはコピー操作ユニット１１からのデータにて指定されている内容（空白或いは両面判定マーク）ではなく、両面判定マークとするための処理を行なうように、構成されている。
【００３３】
要するに、本コピーシステム１０に用いられているプリンタ１３は、常に（印刷のために供給されたデータが、両面判定マークの描画を指示するデータを含むものであっても無くても）、表面に両面判定マークが存在するか否かを調査すれば両面印刷物であるか片面印刷物であるかを判別可能な印刷物を生成する機器となっている。
【００３４】
次に、コピー操作ユニット１１の機能を、説明する。
【００３５】
コピー操作ユニット１１は、通常（コピー制御処理を行なっていない場合）は、図４に示したような内容の基本操作画面をタッチスクリーン２１に表示させた状態で、ユーザによってタッチスクリーン２１やテンキー、スタートボタン２２ｓが操作されるのを、監視している。
【００３６】
この基本操作画面に設けられているコピーモードボタン５０は、現在、設定されているコピーモードを表す情報（図では、“両面自動”）が内部に示されるボタンである。また、コピーモードボタン５０は、コピーモードを変更したい場合にユーザが押下すべき（指で触れるべき）ボタンとなっている。
【００３７】
このコピーモードボタン５０が押下された場合、コピー操作ユニット１１は、図５に示したように、本コピーシステム１０に用意されている５種のコピーモード（“両面→片面”モード、“両面→両面”モード、“片面→片面”モード、“片面→両面”モード、及び、“自動”モード）にそれぞれ対応づけられた５個のボタン５１〜５５、“決定”ボタン５６等を備えたコピーモード選択画面を、タッチスクリーン２１に表示する。
【００３８】
各コピーモードが選択された場合に実行されるコピー制御処理の詳細については後述するが、“自動”モードは、両面判定マークの有無を調査することにより原稿が片面原稿であるか両面原稿であるかが自動的に判断されて、片面原稿については、片面コピーが生成され、両面原稿については、両面コピーが生成されるモードである。
【００３９】
“両面→片面”モードは、１枚の原稿の表面の内容と裏面の内容とが、別々の用紙にコピーされるコピーモードである。また、“両面→両面”モードは、１枚の原稿の表面の内容と裏面の内容とが、１枚の用紙の表面と裏面とにそれぞれコピーされるモードである。“片面→片面”モードは、１枚の原稿の表面の内容が１枚の用紙の表面にコピーされるモードである。“片面→両面”モードは、２枚の原稿の表面の内容が１枚の用紙の表面と裏面とにコピーされるモードである。
【００４０】
コピー操作ユニット１１は、コピーモード選択画面上のボタン５１〜５５のいずれかが押下された際には、押下されたボタンの表示形態を、対応するコピーモードが選択されていることを示すものに変更する。また、コピー操作ユニット１１は、“決定”ボタン５６が押下された場合には、ユーザが選択したコピーモードを表す情報が内部に示されたコピーモードボタン５０を有する基本操作画面を、タッチスクリーン２１に表示する。
【００４１】
そして、スタートボタン２２ｓが押下された場合、コピー操作ユニット１１は、選択されているコピーモード用のコピー制御処理を開始する。
【００４２】
具体的には、“自動”モードが選択されている場合、コピー操作ユニット１１は、図６に示した手順のコピー制御処理を開始する。
【００４３】
すなわち、コピー操作ユニット１１は、スキャナ１２に対して、ＡＤＦから１枚の原稿を取り込んで原稿台に供給し、その原稿をスキャンする（その原稿上の画像を表す画像データを出力する）ことを指示する（ステップＳ１０１）。
【００４４】
次いで、コピー操作ユニット１１は、スキャナ１２が出力した画像データに、指定されている画像処理（モアレ除去、輪郭強調等）を施した上で、プリンタ１３に供給する処理を行なう（ステップＳ１２１）。また、このステップＳ１２１において、コピー操作ユニット１１は、スキャナ１２が出力した画像データに基づき、スキャナ１２にてスキャンされている原稿が、マーク領域に両面判定マークが描画されている原稿（すなわち、両面原稿）であるか否かの判断も、行なう。
【００４５】
コピー操作ユニット１１は、１ページ分の画像データのプリンタ１３への供給が完了したときに、このステップＳ１０２の処理を終了する。そして、コピー操作ユニット１１は、スキャナ１２にてスキャンされた原稿に両面判定マークが描画されていた場合（ステップＳ１０３；ＹＥＳ）には、スキャナ１２に対して、原稿台上の原稿の裏面のスキャンを行なうこと（原稿台上の原稿を裏返した後、そのスキャンを行なうこと）を指示する（ステップＳ１０４）。
【００４６】
その後、コピー操作ユニット１１は、両面判定マークの有無を調査することなく、スキャナ１２から出力される画像データに画像処理を施した上で、プリンタ１３に供給する処理を行なう（ステップＳ１０５）。コピー操作ユニット１１は、１ページ分の画像データのプリンタ１３への供給が完了したときにこのステップＳ１０５の処理を終了し、続くステップＳ１０６において、プリンタ１３に対して、供給した２ページ分の画像データに基づいて両面印刷を行なうことを指示する処理を行なう。
【００４７】
この指示を受けたプリンタ１３は、既に説明したように、表面のマーク領域部分を、コピー操作ユニット１１からのデータにて指定されている内容（この場合、両面判定マーク）ではなく、両面判定マークとするための処理を伴う手順で、両面印刷を行なう。従って、プリンタ１３からは、両面判定マーク部分が劣化していない（両面判定マークがぼやけていない）コピー結果が排出されることになる。
【００４８】
その後、コピー操作ユニット１１は、スキャナ１２に対して、原稿台上の原稿の排出を指示（ステップＳ１０８）し、スキャナ１２のＡＤＦ内に原稿が残っていた場合（ステップＳ１０９；ＹＥＳ）には、ステップＳ１０１からの処理を、再び、実行する。
【００４９】
そして、コピー操作ユニット１１は、ＡＤＦ内のすべての原稿に関する処理が終了したとき（ステップＳ１０９；ＮＯ）に、この図にその手順が示されているコピー制御処理を終了し、タッチスクリーン２１やテンキー、スタートボタン２２ｓがユーザにより操作されるのを待機する状態に戻る。
【００５０】
また、コピー操作ユニット１１は、“自動”モードとは異なるコピーモードが選択されている状態でスタートボタン２２ｓが押下された場合、両面判定マークの有無を調査することなく、選択されているコピーモードに応じた内容のコピー制御処理（既存のコピー操作ユニットが行なっているものと特に変わる所がないコピー制御処理）を行なう。
【００５１】
すなわち、コピー操作ユニット１１は、“両面→片面”モードが選択されている場合には、スキャナ１２のＡＤＦにセットされている１枚の原稿毎に、その表面の内容と裏面の内容とが、別々の用紙にコピーされるように、スキャナ１２及びプリンタ１３を制御する。また、コピー操作ユニット１１は、“両面→両面”モードが選択されている場合には、スキャナ１２のＡＤＦにセットされている１枚の原稿毎に、その表面の内容と裏面の内容とが、１枚の用紙の表面と裏面とにそれぞれコピーされるように、スキャナ１２及びプリンタ１３を制御する。また、コピー操作ユニット１１は、“片面→片面”モードが選択されている場合には、スキャナ１２のＡＤＦにセットされている１枚の原稿毎に、その表面の内容が１枚の用紙の表面にコピーされるように、スキャナ１２及びプリンタ１３を制御する。また、コピー操作ユニット１１は、“片面→両面”モードが選択されている場合には、２枚の原稿毎に、それらの表面の内容が１枚の用紙の表面と裏面とにそれぞれコピーされるように、スキャナ１２及びプリンタ１３を制御する。
【００５２】
そして、コピー操作ユニット１１は、すべての原稿に関する処理が完了したときに、コピーモードを“自動”モードに戻してから、コピー制御処理を終了する（ユーザにより、タッチスクリーン２１、テンキー等が操作されるのを待機する状態に戻る）。
【００５３】
このように、“自動”モードではないコピーモードが選択されている場合、コピー操作ユニット１１は、両面判定マークに関係する処理を何も行なわない。ただし、プリンタ１３は、コピー操作ユニット１１から片面印刷が指示された場合には、マーク領域には何も描画されていない用紙（片面のみに印刷がなされたもの）を排出し、コピー操作ユニット１１から両面印刷が指示された場合には、表面のマーク領域に両面判定マークが描画されている用紙（両面に印刷がなされたもの）を排出するので、結局、本コピーシステム１０を用いた場合、スキャナ１２にどのような原稿がセットされていても（原稿が両面判定マーク付き原稿であってもなくても）、ユーザが生成を指示したコピーが両面コピーであった場合には、各用紙の表面のみに両面判定マークが付けられたコピー結果がプリンタ１３から排出されることになる。また、ユーザが生成を指示したコピーが片面コピーであった場合には、各用紙の表面（及び裏面）に両面判定マークが描画されていないコピー結果がプリンタ１３から排出されることになる。
【００５４】
そして、本コピーシステム１０を用いて生成されたコピー、印刷物は、両面である場合には、表面に両面判定マークが描画されたものとなり、片面である場合には、両面判定マークが描画されていないものとなる。従って、本コピーシステム１０を、全ての書類が本コピーシステム１０を用いて印刷或いはコピーされたものとなっている環境で用いれば、両面原稿の片面だけをコピーしてしまうといったことを防止できることになる。
【００５５】
次に、ネットワークスキャニングユニット１４が実行する原稿デジタル化処理の詳細を、説明する。
【００５６】
“自動”モードが指定された状態でスタートボタン３２が押下された場合、ネットワークスキャニングユニット１４は、図７に示した手順の原稿デジタル化処理を行なう。
【００５７】
すなわち、ネットワークスキャニングユニット１４は、スキャナ１２に対して、ＡＤＦから１枚の原稿を取り込んで、その原稿をスキャンすることを指示する（ステップＳ２０１）。
【００５８】
次いで、ネットワークスキャニングユニット１４は、スキャナ１２が出力した画像データを、マーク領域に相当する部分のデータ（元々、空白を表すデータである場合もある）を、空白を表すデータに置換した上で、指定されている格納場所（指定されているＰＣの指定されているフォルダ）に格納するための処理を行なう（ステップＳ２０２）。また、このステップＳ２０２において、ネットワークスキャニングユニット１４は、スキャナ１２が出力した画像データに基づき、スキャナ１２にてスキャンされている原稿が、マーク領域に両面判定マークが描画されている原稿（すなわち、両面原稿）であるか否かの判断も行なう。
【００５９】
ネットワークスキャニングユニット１４は、１ページ分の画像データの処理が完了した際に、このステップＳ２０２の処理を終了する。そして、スキャナ１２にてスキャンが行われた原稿に両面判定マークが描画されていた場合（ステップＳ２０３；ＹＥＳ）、ネットワークスキャニングユニット１４は、スキャナ１２に対して、原稿台上の原稿の裏面のスキャンを行なうこと（原稿台上の原稿を裏返した後、そのスキャンを行なうこと）を指示する（ステップＳ２０４）。
【００６０】
その後、ネットワークスキャニングユニット１４は、スキャナ１２から出力される画像データを、マーク領域に相当する部分のデータを空白を表すデータに置換した上で、指定されている格納場所に格納するための処理を行なう（ステップＳ２０５）。なお、このステップＳ２０５の処理対象となる画像データは、通常は（原稿がＡＤＦに裏返しにセットされている場合を除いて）、マーク領域に相当する部分のデータが空白を表すデータとなっているものである。
【００６１】
ネットワークスキャニングユニット１４は、１ページ分の画像データの処理が完了した際に、このステップＳ２０５の処理を終了する。そして、ネットワークスキャニングユニット１４は、スキャナ１２に原稿台上の原稿の排出を指示（ステップＳ２０６）し、ＡＤＦ内に原稿が残っていた場合（ステップＳ２０７；ＹＥＳ）には、ステップＳ２０１からの処理を、再び、実行する。
【００６２】
一方、スキャナ１２にてスキャンが行われた原稿に、両面判定マークが描画されていなかった場合（ステップＳ２０３；ＮＯ）、ネットワークスキャニングユニット１４は、ステップＳ２０４，Ｓ２０５の処理を行なうことなく（スキャナ１２にその原稿の裏面のスキャンを行なわせることなく）、ステップＳ２０６以降の処理を行なう。
【００６３】
そして、ネットワークスキャニングユニット１４は、ＡＤＦ内のすべての原稿に対する処理が終了したとき（ステップＳ２０７；ＮＯ）に、この図にその手順が示されている原稿デジタル化処理を終了し、メニュー関連ボタン３３、スタートボタン３２が操作されることや、プリセット情報の追加或いは更新を指示する情報が送信されてくることを、待機する状態に戻る。
【００６４】
また、“片面”モードが指定されている状態でスタートボタン３２が押下された場合、ネットワークスキャニングユニット１４は、図８に示した手順の原稿デジタル化処理を実行する。
【００６５】
すなわち、ネットワークスキャニングユニット１４は、スキャナ１２に対して、ＡＤＦから原稿台に１枚の原稿を供給し、その原稿をスキャンすることを指示する（ステップＳ３０１）。
【００６６】
次いで、ネットワークスキャニングユニット１４は、両面判定マークの有無を調査することなく、スキャナ１２が出力した画像データを、マーク領域に相当する部分のデータを、空白を表すデータに置換した上で、指定されている格納場所に格納するための処理を行なう（ステップＳ３０２）。
【００６７】
ネットワークスキャニングユニット１４は、１ページ分の画像データの処理が完了した際に、このステップＳ３０２の処理を終了する。そして、ネットワークスキャニングユニット１４は、スキャナ１２に原稿台上の原稿の排出を指示（ステップＳ３０３）し、ＡＤＦ内に原稿が残っていた場合（ステップＳ３０４；ＹＥＳ）には、ステップＳ３０１からの処理を、再び、実行する。
【００６８】
ネットワークスキャニングユニット１４は、この原稿デジタル化処理を、ＡＤＦ内のすべての原稿に対する処理が終了したとき（ステップＳ３０４；ＮＯ）に終了する。そして、ネットワークスキャニングユニット１４は、メニュー関連ボタン３３、スタートボタン３２等が操作されることや、プリセット情報の追加或いは更新を指示する情報が送信されてくることを、待機する状態に戻る。
【００６９】
また、“両面”モードが指定されている状態でスタートボタン３２が押下された場合、ネットワークスキャニングユニット１４は、図９に示した手順の原稿デジタル化処理を行なう。
【００７０】
すなわち、ネットワークスキャニングユニット１４は、スキャナ１２に対して、ＡＤＦから原稿台に１枚の原稿を供給し、その原稿をスキャンすることを指示する（ステップＳ４０１）。
【００７１】
次いで、ネットワークスキャニングユニット１４は、両面判定マークの有無をチェックすることなく、スキャナ１２が出力した画像データを、マーク領域に相当する部分のデータを、空白を表すデータに置換した上で、指定されている格納場所に格納するための処理を行なう（ステップＳ４０２）。
【００７２】
ネットワークスキャニングユニット１４は、１ページ分の画像データの処理が完了した際に、このステップＳ４０２の処理を終了する。次いで、ネットワークスキャニングユニット１４は、スキャナ１２に対して、原稿台上の原稿の裏面のスキャンを行なうことを指示する（ステップＳ４０３）。
【００７３】
その後、ネットワークスキャニングユニット１４は、スキャナ１２から出力される画像データを、マーク領域に相当する部分のデータを空白を表すデータに置換した上で、指定されている格納場所に格納するための処理（ステップＳ４０４）を行ない、１ページ分の画像データの処理が完了した際には、スキャナ１２に対して、原稿台上の原稿の排出を指示する（ステップＳ４０５）。そして、ＡＤＦ内に原稿が残っていた場合（ステップＳ４０６；ＹＥＳ）には、ステップＳ４０１からの処理を、再び、実行する。
【００７４】
ネットワークスキャニングユニット１４は、ＡＤＦ内の全ての原稿に対する処理が完了したとき（ステップＳ４０７；ＮＯ）に、この原稿デジタル化処理を終了する。そして、ネットワークスキャニングユニット１４は、メニュー関連ボタン３３、スタートボタン３２等が操作されることや、プリセット情報の追加或いは更新を指示する情報が送信されてくることを、待機する状態をとる。
【００７５】
このように、ネットワークスキャニングユニット１４は、“自動”モードが指定されている場合には、原稿上に両面判定マークが存在するか否かを調査することにより、原稿が両面原稿であるか否かを判断し、その判断結果に応じた制御をスキャナ１２に対して行なう。また、ネットワークスキャニングユニット１４は、“両面”或いは“片面”モードが指定されていた場合には、原稿上に両面判定マークが存在するか否かを調査することなく、指定されているモードに応じた制御をスキャナ１２に対して行なう。
【００７６】
そして、ネットワークスキャニングユニット１４は、いずれの処理モードが指定されていた場合にも、両面判定マークを含まない画像データを、ＰＣに保存する。
【００７７】
従って、このネットワークスキャニングユニット１４を、全ての書類が本コピーシステム１０を用いて印刷或いはコピーされたものとなっている環境で用いれば、両面原稿の片面だけをデジタルデータ化してしまうといったことが防止できることになる。また、ネットワークスキャニングユニット１４によってＰＣに格納される画像データは、両面判定マークに関するデータを含まないものであるので、当該画像データを加工する際や、当該画像データをＯＣＲ用のデータとする際に、両面判定マークに関するデータを除去する必要がないことにもなる。なお、当該画像データに基づく両面印刷をプリンタ１３に行なわせた場合、プリンタ１３にて両面印刷マークが付加されるので、当該画像データに基づいた印刷物が、“自動”モードでのコピー、原稿デジタル化に不適当なもの（両面印刷物であるにも拘わらず、表面に両面判定マークが付いていないもの）となることもない。
【００７８】
＜変形形態＞
上記したコピーシステム１０は、各種の変形を行なうことが出来る。例えば、コピー操作ユニット１１にネットワークスキャニングユニット１４としての機能を付加しておいても良い。また、上記したコピーシステム１０は、両面判定マークが描画されていない両面原稿のコピー或いはデジタル化を“自動”モードで行なった場合、原稿が片面原稿であるとして、コピー或いはデジタル化が行なわれるシステムであったが、両面判定マークが描画されていない両面原稿が片面原稿であるとしてコピー或いはデジタル化が行なわれないようにするために、“自動”モードで両面判定マークが描画されていない原稿を見出した際、原稿の種類を確認するための処理（タッチスクリーン２１、液晶パネル３１にそのための情報を表示し、ユーザによって原稿の種類が指定されるのを待機する処理）が行なわれるように、コピーシステム１０を構成しておいても良い。
【００７９】
また、コピーシステム１０に用いられたプリンタ１３は、両面判定マークを付加する機能を有するものであったが、プリンタ１３をそのような機能を有さないものとし（プリンタ１３として通常のプリンタを用い）、ＰＣにインストールされるプリンタドライバと、コピー操作ユニット１１とを、両面判定マークが描画されることになるデータを生成するものとしておいても良い。また、スキャナ１２自体に、両面判定マークの有無に基づき原稿が両面原稿であるか片面原稿であるかを判定する機能を付与しておいても良い。
【００８０】
【発明の効果】
本発明によれば、両面原稿の片面だけをコピー或いはデジタルデータ化してしまうことを防止できる環境を、実現することが出来る。
【図面の簡単な説明】
【図１】本発明の一実施形態に係るコピーシステムの外観図である。
【図２】実施形態に係るコピーシステムの構成並びに使用形態の説明図である。
【図３】実施形態に係るコピーシステムに含まれるコピー操作ユニットの外観図である。
【図４】コピー操作ユニットに表示される基本操作画面の説明図である。
【図５】コピー操作ユニットに表示されるコピーモード選択画面の説明図である。
【図６】コピー操作ユニットにて、“自動”モードが指定されているときに実行されるコピー制御処理の流れ図である。
【図７】実施形態に係るコピーシステムに含まれるネットワークスキャニングユニットにて、“自動”モードが指定されているときに実行される原稿デジタル化処理の流れ図である。
【図８】ネットワークスキャニングユニットにて、“片面”モードが指定されているときに実行される原稿デジタル化処理の流れ図である。
【図９】ネットワークスキャニングユニットにて、“両面”モードが指定されているときに実行される原稿デジタル化処理の流れ図である。
【符号の説明】
１０  コピーシステム
１１  コピー操作ユニット
１２  スキャナ
１３  プリンタ
１４  ネットワークスキャニングユニット
２１  タッチスクリーン
２２、３２  スタートボタン
３１  液晶パネル
３３  メニュー関連ボタン
【図１】
0003601505.tif 000002
【図２】
0003601505.tif 000003
【図３】
0003601505.tif 000004
【図４】
0003601505.tif 000005
【図５】
0003601505.tif 000006
【図６】
0003601505.tif 000007
【図７】
0003601505.tif 000008
【図８】
0003601505.tif 000009
【図９】
0003601505.tif 000010